(57)【要約】【課題】浴室の洗い場について、掃除性、触感の良さ、防滑性がバランス良く保たれている機能性の高い洗い場床を実現する。【解決手段】浴室の洗い場床表面に、凸部と凸部の間に配置された排水用溝が一定の間隔で規則的に配置された区画であって、防滑性を重視した区画１と、掃除性を重視した区画２と、触感を重視した区画３の３種の区画を、浴槽またぎ部５６、カウンタ４４下方部等、入口の近傍等に、それぞれの領域の掃除性、触感の良さ、防滑性等の機能の必要な程度を考慮して、配置した。【選択図】図２
2013147850.tif 000002
【特許請求の範囲】
【請求項１】
浴室の洗い場床表面に凸部と凸部の間に配置された排水用溝が一定の間隔で規則的に配置された区画を備えた洗い場床において、凸部形状か排水用溝の幅の少なくともどちらかが異なる３種の区画に配置されていることを特徴とする洗い場床。
【請求項２】
請求項１に記載の洗い場床において、３種の区画は防滑性を重視した区画と、掃除性を重視した区画と、触感を重視した区画であり、浴槽またぎ部には防滑性を重視した区画を配置することを特徴とする洗い場床。
【請求項３】
請求項２に記載の洗い場床において、浴槽またぎ部に配置した防滑性を重視した区画は洗い場床の長辺側の浴槽側端部から一定の幅を備え、幅は１５０ｍｍ以上３００ｍｍ以下とすることを特徴とする洗い場床。
【請求項４】
請求項２または３に記載の洗い場床において、浴室はカウンタを備え、カウンタの下部には掃除性を重視した区画を配置することを特徴とする洗い場床。
【請求項５】
請求項４に記載の洗い場床において、カウンタの下部に配置した掃除性を重視した区画はカウンタ奥行きと略同一の幅に配置されることを特徴とする洗い場床。
【請求項６】
請求項２から５のいずれかに記載の洗い場床であって、浴室の出入口部を備え、出入口部近傍には掃除性を重視した区画または防滑性を重視した区画を配置することを特徴とする洗い場床。
【請求項７】
請求項２から６のいずれかに記載の洗い場床であって、洗い場床の入隅部は掃除性を重視した区画とすることを特徴とする洗い場床。
【請求項８】
請求項２から７のいずれかに記載の洗い場床であって、防滑性を重視した区画の凸部は四角錐の上部が切り取られた略台形状とし、掃除性を重視した区画の凸部は四角錐形状で四角錐斜面が床方向に凹状の曲面形状とし、触感を重視した区画の凸部は球面形状とすることを特徴とする洗い場床。
【発明の詳細な説明】
【技術分野】
【０００１】
本発明は、浴室の洗い場床に関する。
【背景技術】
【０００２】
従来、洗い場床の浴槽付近及び出入口付近の表面の滑り止め用凹部が、他の部分よりも細かいピッチで設けられている浴室は知られている（特許文献１参照）。
【０００３】
また、洗い場床の浴槽付近及び出入口付近の表面の滑り止め用凸部が、他の部分よりも平面積が小さく、高さが高く形成されている浴室床も知られている（特許文献２参照）。
【先行技術文献】
【特許文献】
【０００４】
【特許文献１】特開平７−９０８９６号公報
【特許文献２】特開２００１−３４２２号公報
【発明の概要】
【発明が解決しようとする課題】
【０００５】
浴室の洗い場の床の出入口付近の表面に滑り止めのために、滑り止め用凹部のピッチを変えたり、滑り止め用凸部の平面積を変えたりする上記従来知られた構成は、単に、浴室における安全性という観点からは、防滑性においてそれなりの機能を発揮するものと考えられる。
【０００６】
しかしながら、浴室の利用においては、防滑性を高め浴室における入浴者の安全性を確保することはもちろん重要であるが、汚れがつきにくく、清掃の際に汚れを落としやすいという掃除性の良さも必要な要素である。
【０００７】
また、入浴者が床に触れても不愉快さを受けることなくマイルドで快適であるという触感の良さも重要な要素である。さらに、洗い場床が使用後すぐ乾く性能、即ち速乾性（ドライ性とも言う）は、洗い場床を清潔に保つためにも重要な要素である。これらの観点からすると、上記従来の単に滑り止めを備えた洗い場の床は必ずしも十分とは言えない。
【０００８】
ところで、防滑性、掃除性、触感の良さ、速乾性の全てを同時に向上させることは容易ではない。例えば、防滑性を重視し凹凸を高くしたり、密に（目地を多く）したりすると掃除性は低下するとともに、触感の良さも低下する。従って、これらの要素が全体的にバランス良く保たれている洗い場床が望ましい。
【０００９】
本発明は、浴室の洗い場において、床の入口近傍、浴槽またぎ部、カウンタ下方部など、それぞれの領域によって、防滑性、掃除性、触感の良さ等の機能の必要な程度を考慮して、それぞれの領域の洗い場の床の表面の凸部の形状を適宜異なるように配置することで、防滑性、掃除性、触感の良さ等の機能がバランス良く保たれている機能性の高い洗い場床を実現することを課題とする。
【課題を解決するための手段】
【００１０】
本発明は上記課題を解決するために、浴室の洗い場床表面に凸部と凸部の間に配置された排水用溝が一定の間隔で規則的に配置された区画を備えた洗い場床において、凸部形状か排水用溝の幅の少なくともどちらかが異なる３種の区画に配置されていることを特徴とする洗い場床を提供する。
【００１１】
３種の区画は防滑性を重視した区画と、掃除性を重視した区画と、触感を重視した区画であり、浴槽またぎ部には防滑性を重視した区画を配置することが好ましい。
【００１２】
浴槽またぎ部に配置した防滑性を重視した区画は洗い場床の長辺側の浴槽側端部から一定の幅を備え、幅は１５０ｍｍ以上３００ｍｍ以下とすることが好ましい。
【００１３】
浴室はカウンタを備え、カウンタの下部には掃除性を重視した区画を配置することが好ましい。
【００１４】
カウンタの下部に配置した掃除性を重視した区画はカウンタ奥行きと略同一の幅に配置されることが好ましい。
【００１５】
浴室の出入口部を備え、出入口部近傍には掃除性を重視した区画または防滑性を重視した区画を配置することが好ましい。
【００１６】
洗い場床の入隅部は掃除性を重視した区画とすることが好ましい。
【００１７】
防滑性を重視した区画の凸部は四角錐の上部が切り取られた略台形状とし、掃除性を重視した区画の凸部は四角錐形状で四角錐斜面が床方向に凹状の曲面形状とし、触感を重視した区画の凸部は球面形状とすることが好ましい。
【発明の効果】
【００１８】
本発明によれば、浴室の洗い場床において、床の入口近傍、浴槽またぎ部、カウンタの下方等の領域について、それぞれ防滑性、掃除性、触感の良さ等の機能の必要な程度を考慮して、凸部の形状等において互いに異なる表面構造を有する、３種の区画を配置することで、必要な性能を満たしながら、各区画はある程度の領域を形成し、むやみに多くの加工を行わずに実用的な床を実現できることである。
【図面の簡単な説明】
【００１９】
【図１】本発明に係る洗い場床に配置される３種の区画の表面構造を説明する図であり、（ａ）は防滑性を重視した区画の表面構造をを示し、（ｂ）は掃除性を重視した区画の表面構造をを示し、（ｃ）は触感を重視した区画の表面構造を示す。
【図２】本発明に係る洗い場床の実施例１を説明する図であり、（ａ）は浴室の構成を示し、（ｂ）は洗い場床の構成を示し、（ｃ）は変形例の洗い場床の構成を示す。
【図３】本発明に係る洗い場床の実施例２を説明する図であり、（ａ）は浴室の構成を示し、（ｂ）は洗い場床の構成を示す。
【図４】本発明に係る洗い場床の実施例３を説明する図であり、（ａ）は浴室の構成を示し、（ｂ）は洗い場床の構成を示す。
【発明を実施するための形態】
【００２０】
本発明に係る洗い場床を実施するための形態を実施例に基づき図面を参照して、以下説明する。
【００２１】
本発明の浴室の洗い場床は、その表面に、上方に向けた凸部と凸部の間に配置された排水用溝が一定の間隔で規則的に配置された表面構造の区画を備えている。凸部は、後記するが、四角錐の一部や湾曲の傾斜面を備えており、洗い場床の表面上の水を排水用溝に流す機能を果たす。
【００２２】
区画としては、防滑性を重視した表面構造の区画（防滑性を発揮する洗い場床の表面構造を備え、以下「防滑性を重視した区画」という。）と、掃除性を重視した表面構造の区画（掃除性を発揮する洗い場床の表面構造を備え、以下「掃除性を重視した区画」という。）と、触感を重視した表面構造の区画（触感の良さを発揮する洗い場床の表面構造を備え、以下「触感を重視した区画」という。）の３種の表面構造の区画（以下「３種の区画」という。）が配置されている。
【００２３】
これら３種の区画は、互いに洗い場床の表面構造が、凸部形状及び排水用溝の幅の両方又は一方が異なる。図１は、防滑性を重視した区画１、掃除性を重視した区画２及び触覚を重視した区画３のそれぞれの洗い場床の表面構造の一例を説明する図である。
【００２４】
図１（ａ）は、防滑性を重視した区画１の洗い場床の表面構造を示す平面図、Ａ−Ａ断面図及び凸部の拡大図である。この表面構造は、上方に向けた凸部４と凸部４の間に配置された排水用溝７が、一定の間隔で規則的に配置されている。
【００２５】
防滑性を重視した区画１における凸部４（「防滑性を重視した凸部」という）は、四角錐の上部が切り取られ（略平坦に形成され）、断面が略台形状に形成されている（図１（ｃ）参照）。
【００２６】
防滑性を重視した凸部４は、四角錐の一部（即ち切り取られた上部を除く部分）を構成する四角錐斜面８の斜辺１１が断面直線状であり、四方の四角錐斜面８は互いに傾斜した直線縁１２を介して連成されているので、防滑性に優れている。
【００２７】
なお、防滑性を重視した凸部４は、四角錐の上部が切り取られ平坦な頂面１３が形成されているので、入浴者に触感としても苦痛を与えるようなことはないが、平坦な頂面１３を上方に凸状の曲率の小さななだらかな湾曲面とすれば、触感をより良くすることができる。
【００２８】
図１（ｂ）は、掃除性を重視した区画２の洗い場床の表面構造を示す平面図、Ｂ−Ｂ断面図及び凸部の拡大図である。この表面構造は、上方に向けた凸部２１と凸部２１の間に配置された排水用溝２２が、一定の間隔で規則的に配置されている。
【００２９】
掃除性を重視した区画２における凸部２１（「掃除性を重視した凸部」という）は、四角錐形状で四角錐の斜面２３が床方向に凹状の曲面形状（断面略ノ字形）として形成され、掃除性を重視した構成となっている。
【００３０】
掃除性を重視した凸部２１は、四角錐の斜面２３が床方向に凹状の曲面形状に形成されているので、その表面に対して清掃具（例えばブラシ、モップ等）が十分接触でき、しかもその表面上を清掃具が滑らかに移動でき、清掃性が良い。
【００３１】
なお、掃除性を重視した凸部２１の頂部２４にＲ（丸み）をつければ、入浴者に触感において苦痛を与えるようなことはない。特に、掃除性を重視した凸部２１の高さが低く、傾斜面がなだらかであれば、触感もより良くなる。
【００３２】
図１（ｃ）は、触感を重視した区画３の洗い場床の表面構造を示す平面図、Ｃ−Ｃ断面図及び凸部の拡大図である。この表面構造は、上方に向けた凸部３１と凸部３１の間に配置された排水用溝３２が、一定の間隔で規則的に配置されている。
【００３３】
触感を重視した区画３における凸部３１（「触感を重視した凸部」という）は、上方に向けて凸状の曲面形状（例えば円球面の一部）として形成されている。触感を重視した凸部３１は、このような曲面形状として形成されているので、入浴者が立って足裏を押しつけた際に、また入浴者が洗い場床に膝をついた際に、マイルドな触感を与えることができる。
【００３４】
なお、本発明者らが具体的に３種の凸部をそれぞれ備えた洗い場床を製作し実証試験をおこなった。その際に製作した防滑性を重視した凸部４、掃除性を重視した凸部２１、触感を重視した凸部３１の寸法の設計例は次のとおりである。
【００３５】
防滑性を重視した凸部４、掃除性を重視した凸部２１、触感を重視した凸部３１について、それぞれの高さＨａ、Ｈｂ、Ｈｃ、それぞれの最下部の縦横幅Ｗａ、Ｗｂ、Ｗｃ、それぞれの縦横方向に隣接する凸部間の間隔（洗い場床の「溝幅」に相当する）Ｄａ、Ｄｂ、Ｄｃとする。
【００３６】
Ｈａ＝０．３ｍｍ、Ｈｂ＝０．１６ｍｍ、Ｈｃ＝０．２ｍｍ、Ｗａ＝１．２５ｍｍ、Ｗｂ＝１．２５ｍｍ、Ｗｃ＝１．２ｍｍ、Ｄａ＝０．５ｍｍ、Ｄｂ＝０．４ｍｍ、Ｄｃ＝０．３ｍｍ
【００３７】
このような実証試験を行った凸部の設計例に示すように、３種の凸部について、縦横幅Ｗａ、Ｗｂ、Ｗｃは略同じであるが、高さはＨａ＞Ｈｂ＞Ｈｃになるように構成した。防滑性を重視した凸部４は、高さＨａを高くしたので、足裏に対してグリップが良く防滑性が向上する。一方、触感を重視した凸部３１は、高さＨｃを低くしたので、凹凸差があまり生じず、上方に向けて凸状の曲面形状と相まって触感がより良好となる。
【００３８】
また、掃除性を重視した凸部２１の高さＨｂは、低すぎると、四角錐の傾斜面の傾斜角度が小さくなり凸部の上部に付着した水の流下する効果が低下し速乾性が悪く、衛生面で必ずしも好ましくない。逆に高すぎると凹凸の差が大きくなるので、ゴミが溜まりやすく、また清掃具による清掃の効果が悪くなる。従って、３種の凸部４、２１、３１の中でも中程度の高さとした。
【００３９】
なお、縦横方向に隣接する凸部間の間隔Ｄａ、Ｄｂ、Ｄｃの大小、即ち溝幅の広い狭いという観点からみると、Ｄａ≧Ｄｂ≧Ｄｃとした。後記するが防滑性を重視した区画１は、基本的には洗い場床における浴槽またぎ部の領域に配置され、浴槽またぎ部の領域は、浴室の洗い場床全体からすると排水が比較的集積し通過排水量が多い下流域であるので、防滑性を重視した区画１の排水用溝７の溝幅Ｄａを、比較的広く形成することが好ましい。  
【００４０】
一方、後記するが触感を重視した区画３は、洗い場床の中央部の領域に配置される。この洗い場床の中央部の領域は、浴槽またぎ部の領域のように排水が集積する領域ではなく、中央部の領域おいて入浴者が位置する部位で洗い流した水等が、排水用溝３２だけでなく掃除性を重視した凸部３１の全面に流れ落ちる、いわば排水の上流域であるから、溝幅Ｄｃは比較的狭くてもよい。むしろ、排水用溝２２の面積合計に対して、触感を重視した凸部３１の面積合計を多くして、その曲面による触感の良さ重視した。
【００４１】
また、後記するが掃除性を重視した区画２は、浴室のカウンタの下方等のように、洗い場床の中央部の周囲の領域に配置されるが、この領域は、浴槽またぎ部の領域に比較すると排水の集積するような領域ではなく、また、通常あまり水が流れるような領域ではないので、ゴミがたまり汚れ易い領域である。
【００４２】
そのため時々、ホース等を使用して水を流して清掃するが、その際に、排水性が悪いと水やゴミが残り衛生面では好ましくないので、溝幅はある程度必要である。そこで、掃除性を重視した区画２の排水用溝３２の溝幅Ｄｂは、３種の区画の排水用溝７、２２、３２の中でも中程度の溝幅とした。
【００４３】
以上説明したとおり、３種の凸部４、２１、３１はそれぞれ構造、機能において特徴を有する。本発明に係る洗い場床は、これらの３種の凸部を備えた表面構造を有する３種の区画１、２、３を、浴室の洗い場床のそれぞれの領域に求められている必要性に応じて、適材適所で配置されることを特徴とするが、その配置例を、以下、実施例として説明する。
【実施例１】
【００４４】
図２は、本発明に係る洗い場床の実施例１を説明する図である。この実施例１の洗い場床４１を適用する浴室４２は、図２（ａ）に示すように、浴室内には洗い場床４１と浴槽４３が設けられている。また、洗い場床４１の長手方向の一端の短辺側５１（図２（ａ）の左端側）において、洗い場床４１の上方にカウンタ４４（例．洗面器台カウンタ）が設けられている。                                          
【００４５】
浴室４２の出入口４６は、洗い場床４１における浴槽４３と対向した長辺側４７に面して設けられており、出入口４６には、開閉ドア４８が設けられている（図２（ａ）の実線参照）。或いは、出入口５２が、洗い場床４１の長手方向の他端の短辺側５３（図２（ａ）の右端側）に面して設けられ、出入口５２には開閉ドア５４が設けられている（図２（ａ）の２点鎖線参照）。
【００４６】
出入口を、出入口４６のように洗い場床４１の長辺側４７に面して設けるか、或いは出入口５２のように洗い場床４１の短辺側５３に面して設けるかは、建物の全体構造、間取り等の浴室４２の設置環境に対応して決められる。この実施例１は、出入口をいずれに選択して設けた場合でも適用できるように、洗い場床４１のそれぞれの領域に応じて３種の区画１、２、３が、次のように配置される構成とした。
【００４７】
即ち、浴室４２の洗い場床４１において、図２（ｂ）に示すように、浴槽またぎ部５６の領域には、防滑性を重視した区画１を配置する。洗い場床４１の大部分を占め、主に入浴者が身体を洗うために使用する洗い場床４１の中央部５７の領域には、触感を重視した区画３を配置する。洗い場床４１の中央部５７の周囲の領域５８（浴槽またぎ部５６は除く）には、掃除性を重視した区画２を配置する構成とした。
【００４８】
浴槽またぎ部５６に配置した防滑性を重視した区画１は、洗い場床４１の長辺側５９において、浴槽４３の側端部６１から一定の幅Ｓ１を備えている。この幅Ｓ１は、成人の足（足裏）の寸法を考慮すれば、３００ｍｍより長くする必要がなく、また、１５０ｍｍあれば、成人でも足裏の少なくとも一部が接触し、子供の足裏についても十分接触する。
【００４９】
従って、上記幅Ｓ１は、例えば１５０ｍｍ以上で３００ｍｍ以下とすることが好ましい。なお、排水口６２の排水蓋６３の上面にも防滑性を重視した区画１を適用し、その表面に防滑性を重視した凸部４を形成することが好ましい。
【００５０】
洗い場床４１の中央部５７の周囲の領域５８は、具体的には、カウンタ４４の下方部、出入口４６、５２の近傍、及び入隅部６４（洗い場床４１の長辺側４７と短辺側５１、５３とのコーナ部）等が含まれる。
【００５１】
このような洗い場床４１の中央部５７の周囲の領域５８は、排水口６２から遠く、比較的、水が流されない領域であるから、洗い場床４１の表面に付着したゴミが流れ落とされにくく、汚れやすい。従って、このような領域５８に配置するものとしては、掃除性を重視した区画２が適している。
【００５２】
カウンタ４４の下方部に配置される掃除性を重視した区画２の幅Ｓ２（カウンタ４４の背面側の壁面から洗い場床の中央側に向かう幅）は、カウンタ４４の奥行きの幅ｔと略同一の寸法とすればよい。
【００５３】
なお、図２（ｃ）は、実施例１の変形例の洗い場床６５を示す図である。この変形例は、出入口４６、５２の近傍であって、出入口４６、５２に沿った洗い場床４１の領域にも、防滑性を重視した区画１を配置した構成を特徴とし、出入口４６、５２近傍の洗い場床４１上で生じやすい入浴者の転倒を防止することを考慮した構成である。
【実施例２】
【００５４】
図３は、本発明に係る洗い場床の実施例２を説明する図である。この実施例２の洗い場床６６を適用する浴室６７は、実施例１とほぼ同じであり、同じ構成については同じ符号を使用する。実施例２では、図３（ａ）に示すように、浴室６７の出入口６８は、浴槽４３と対向する洗い場床６６の長辺側７１に面して設けられ、３枚引き戸７２を備えている。
【００５５】
洗い場床６６の長手方向の一端の短辺側５１（図３（ａ）の左端側）には、実施例１と同様に、洗い場床６６の上方にカウンタ４４が設けられている。
【００５６】
このような浴室６７の洗い場床６６において、図３（ｂ）に示すとおり、実施例１と同様に、浴槽またぎ部５６の領域には防滑性を重視した区画１を配置し、洗い場床６６の大部分を占め入浴者身体を洗うために使用する洗い場床６６の中央部５７の領域には触感を重視した区画３を配置する構成とした。
【００５７】
この実施例２では、洗い場床６６において浴室６７の出入口６８の近傍の領域については、入浴者の転倒防止を第１に考え、安全性を図るというコンセプトに基づく構成を採用した。具体的には、出入口６８の近傍であって、出入口６８に沿う洗い場床６６の長辺側７１の領域にも、防滑性を重視した区画１を配置した。
【００５８】
そして、洗い場床６６の中央部５７の長手方向の外側であって、長手方向の両端部の領域、換言すると洗い場床６６の短辺側５１、５３の領域には、掃除性を重視した区画２を配置した。
【００５９】
洗い場床６６の長手方向の１端の短辺側５１の領域には、実施例１と同様にカウンタ４４が配置されており、このカウンタ４４の下方の洗い場床６６の領域に、カウンタ４４と略同幅に掃除性を重視した区画２が配置されている。
【００６０】
入浴者が浴室６７に入り洗い場床６６を踏んだ際に、転倒を起こしやすい。しかし、この実施例２では、３枚引き戸７２を備えた浴室６７の出入口６８の近傍であって、出入口６８に沿った洗い場床６６の長辺側７１の領域に、防滑性を重視した区画１を設けたので、出入口６８近傍における転倒を防止することができる。
【実施例３】
【００６１】
図４は、本発明に係る洗い場床の実施例３を説明する図である。この実施例３の洗い場床は、実施例２とほぼ同じであり、実施例２と異なる構成を中心に、実施例３の特徴的な構成を以下説明する。実施例３において、実施例２と同じ構成は同じ符号を使用する。
【００６２】
実施例３の浴室７６では、その出入口７７は、実施例２と同様に、浴槽４３に対向し洗い場床７８の長辺側８１に面して設け、例えば３枚引き戸８２（図４（ａ）の実線参照）を備えている。或いは、出入口７７に替えて出入口８３を、洗い場床７８の短辺側８６に面して設け、出入口８３に、例えば１枚引き戸８４（図４（ａ）の２点鎖線参照）を設ける場合もある。
【００６３】
このように、洗い場床７８の長辺側８１に面して３枚引き戸８２を備えた出入口７７を設ける浴室の構成とするか、或いは洗い場床７８の短辺側８６に面して１枚引き戸８４を備えた出入口８３を設ける浴室の構成とするかは、建物の全体構造、間取り等の浴室の設置環境に対応して決められる。
【００６４】
実施例３は、これらいずれの浴室の構成にも適用可能なように、３種の区画１、２、３を配置した構成を特徴とする。そして、実施例３は、実施例２と同様に、洗い場床７８において浴室７６の出入口７７、８３の近傍の領域については、入浴者の転倒を防止し安全性を十分図るために、防滑性を重視するコンセプトに基づく構成である。
【００６５】
具体的には、実施例３の特徴は、洗い場床７８において、浴槽またぎ部５６の領域と、出入口７７の近傍であって出入口７７に沿った洗い場床７８の長辺側８１の領域と、さらに加えて、出入口８３の近傍であって出入口８３に沿った短辺側８６の領域と、に防滑性を重視した区画１を配置する構成とした点である。実施例３のその他の構成は、実施例２と同じである。             
【００６６】
以上、本発明に係る洗い場床を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６７】
本発明に係る洗い場床は上記のような構成であるから、家庭用の浴室へ適用できるだけでなく、公衆浴場や温泉等の浴場施設にも適用可能である。
【００６８】
なお、上記３種の区画は、洗い場床だけでなく、浴槽の底部の異なる領域にも適用可能である。例えば、浴槽の長手方向の両端部の領域は掃除性を重視した区画を配置し、臀部を接する浴槽の底部の領域は触感を重視した区画を配置し、浴槽またぎ部に近い側の浴槽の底部の領域は防滑性を重視した区画を配置するように適用する。
【符号の説明】
【００６９】
１  防滑性を重視した区画
２  掃除性を重視した区画
３  触感を重視した区画
４  防滑性を重視した凸部
７  防滑性を重視した区画の排水用溝
８  防滑性を重視した凸部の四角錐斜面
１１  四角錐斜面の斜辺
１２  隣接する四角錐斜面の境界となる傾斜した直線縁
１３  防滑性を重視した凸部の頂面
２１  掃除性を重視した凸部
２２  掃除性を重視した区画の排水用溝
２３  掃除性を重視した凸部の四角錐の斜面
２４  掃除性を重視した凸部の頂部
３１  触感を重視した凸部
３２  触感を重視した区画の排水用溝
４１  洗い場床
４２  浴室
４３  浴槽
４４  カウンタ
４６  洗い場床の長辺側に面した出入口
４７  浴槽と対向する洗い場床の長辺側
４８  開閉ドア
５１  洗い場床の長手方向の一端の短辺側
５２  洗い場床の短辺側に面した出入口
５３  洗い場床の長手方向の他端の短辺側
５４  開閉ドア
５６  浴槽またぎ部
５７  洗い場床の中央部
５８  洗い場床の中央部の周囲の領域
５９  洗い場床の長辺側
６１  浴槽の側端部
６２  排水口
６３  排水蓋
６４  入隅部
６５  変形例の洗い場床
６６  洗い場床
６７  浴室
６８  出入口
７１  洗い場床の長辺側
７２  ３枚引き戸
７６  浴室
７７  出入口
７８  洗い場床
８１  洗い場床の長辺側
８２  ３枚引き戸
８３  出入口
８４  １枚引き戸
８６  洗い場床の短辺側
【図１】
2013147850.tif 000003
【図２】
2013147850.tif 000004
【図３】
2013147850.tif 000005
【図４】
2013147850.tif 000006
【手続補正書】
【提出日】平成24年1月20日(2012.1.20)
【手続補正１】
【補正対象書類名】明細書
【補正対象項目名】００１８
【補正方法】変更
【補正の内容】
【００１８】
本発明によれば、浴室の洗い場床において、床の入口近傍、浴槽またぎ部、カウンタの下方等の領域について、それぞれ防滑性、掃除性、触感の良さ等の機能の必要な程度を考慮して、凸部の形状等において互いに異なる表面構造を有する３種の区画を配置することで、必要な性能を満たしながら、各区画はある程度の領域を形成し、むやみに多くの加工を行わずに実用的な床を実現できることである。